(57)【要約】【課題】簡単な構造で風量を調整することができ、しかも安価ば換気グリル装置を提供する。【解決手段】前端および後端が開口された筒体２１と、この筒体２１内に設けられるとともにこの筒体内を通る空気の風量を調整する風量調整機構３０とを備えた換気グリル装置であって、風量調整機構３０は、筒体２１の中央部に設けた軸部２６と、この軸部２６に回動可能に設けられ且つ前記前端側から後端に向かって重ねられるとともに筒体２１の風路を遮断するための複数の調整板３１〜３５とを有し、最前端側に配置された第１調整板３１を回動させた際、この第１調整板３３が所定角度回動していく毎に、第１調整板の後ろ側にある調整板３２〜３４が前から順番に第１調整板３１とともに回動して前記風路を遮断する面積が大きくなるようした。【選択図】  図３
2004309037.tif 000002
【特許請求の範囲】
【請求項１】
前端および後端が開口された筒体と、この筒体内に設けられるとともにこの筒体内を通る空気の風量を調整する風量調整手段とを備えた換気グリル装置であって、
前記風量調整手段は、前記筒体の中央部に設けた軸部と、この軸部に回動可能に設けられ且つ前記前端側から後端に向かって重ねられるとともに前記筒体の風路を遮断するための複数の調整板とを有し、
最前端側に配置された第１調整板を回動させた際、この第１調整板が所定角度回動していく毎に、第１調整板の後ろ側にある調整板が前から順番に第１調整板とともに回動して前記風路を遮断する遮断面積が大きくなり、その第１調整板を逆方向に回動させた際に前記遮断面積が小さくなることを特徴とする換気グリル装置。
【請求項２】
前記各調整板は係合部と係止部とを有し、調整板の前に配置された前調整板が所定角度回動した際にその調整板の係合部が前調整板の係止部に係合してその前調整板とともに前記調整板が回動し、この調整板が所定角度回動した際にこの調整板の後ろに配置された後調整板の係合部に前記調整板の係止部が係合して後調整板が前記調整板とともに回動していくことを特徴とする請求項１に記載に換気グリル装置。
【請求項３】
両端が開口された筒体と、この筒体内に設けられるとともにこの筒体内を通る空気の風量を調整する風量調整手段とを備えた換気グリル装置であって、
前記風量調整手段は、前記筒体の中央部に設けた軸部に放射状に配置された複数の調整板を有し、
前記各調整板は、前記筒部の風路方向と直交する方向と、その風路方向と平行となる方向とに前記筒体に着脱可能に装着できるようになっていることを特徴とする換気グリル装置。
【請求項４】
前記各調整板は、平板状の板部と、この板部の一端に設けた第１支軸と、その板部の他端に設けた第２支軸とを有し、
各調整板の第１支軸がそれそぞれ着脱可能に係合する複数の第１凹部を前記筒体の周壁に周方向に沿って設け、
各調整板の第２支軸がそれぞれ着脱可能に係合する複数の第２凹部を前記軸部に周方向に沿って設け、
前記風量を調整するために各調整板の板部の向きが変えられるように、第１，第２支軸回りに調整板を所定角度回動させて、第１，第２支軸を第１，第２凹部に係合させた際に、第１，第２支軸のうちいずれか一方を対応する第１凹部または第２凹部に軸回りに対して固定できるようにしたことを特徴とする換気グリル装置。
【請求項５】
前記調整板の第１支軸と、前記筒体の第１凹部とに角部を設けて第１支軸を軸回りに対して固定することを特徴とする請求項４に記載の換気グリル装置。
【請求項６】
両端が開口された筒体と、この筒体内に設けられるとともにこの筒体内を通る空気の風量を調整する風量調整手段とを備えた換気グリル装置であって、
前記風量調整手段は、前記筒体の中央部に設けた軸部に放射状に配置されるとともに放射方向に延びた軸線回りに回動自在の複数の調整板と、各調整板を前記軸線回りに回動させて各調整板の向きを変えて前記風量を調整する回動調整手段とを有することを特徴とする換気グリル装置。
【請求項７】
前記回動調整手段は、前記各調整板に設けたギアと、前記筒体の軸線回りに回動可能に設けた調整リングと、この調整リングに設けられるとともに前記ギアに噛合するギア部とを備え、調整リングを回動させることによって各調整板を軸線回りに回動させることを特徴とする請求項６に記載の換気グリル装置。
【発明の詳細な説明】
【０００１】
【発明の属する技術分野】
この発明は、例えば室内の天井や壁に設けられ室内へ空気を給気または室内の空気を吸気する換気グリル装置に関する。
【０００２】
【従来の技術】
従来から、図４４および図４５に示す換気グリル装置が知られている（特許文献１参照）。
【０００３】
かかる換気グリル装置は、上下端が開口した筒体１の中心部に設けられた軸部２に回動可能に設けた調整ネジ３と、この調整ネジ３に螺合されるとともにその調整ネジ３の回動によって上下動する可動部材４と、筒体１の内周壁に設けた２組の一対の回転支軸５に回動自在に軸支された一対のシャッタ６，６′とを備えている。
【０００４】
シャッタ６，６′には、回転支軸５を回転自在に嵌入する筒体６Ａと、ガイド溝７とが形成され、シャッタ６，６′の下面側にはガイド溝７に沿って断面がコ字状のガイドレール８が形成されている。そして、可動部材４に設けたアーム４Ａの先端部がガイド溝７に挿入され、この先端部に設けたピン９がガイドレール８で囲まれる空間８ａ内に挿入されており、ピン９がガイドレール８に沿ってその空間８ａ内を移動できるようになっている。また、ピン９の位置は回転支軸５の外側に位置している。
【０００５】
そして、軸部２に設けたツマミ１０を回動することにより調整ネジ３が回動し、この調整ネジ３の回動により可動部材４が上下動する。可動部材４の上下動によりピン９がガイドレール８の空間８ａ内を上下動していくことにより、シャッタ６が回転支軸５回りに回動する。すなわち、可動部材４が下降するとシャッタ６は回転支軸５を中心にして時計回りに回動し、シャッタ６′は回転支軸５を中心にして反時計回りに回動して筒体１内を閉成していく。
【０００６】
逆に、可動部材４が上昇するとシャッタ６は回転支軸５を中心にして反時計回りに回動し、シャッタ６′は回転支軸５を中心にして時計回りに回動して筒体１内を開成していくことになる。そして、これらシャッタ６，６′の回動位置により筒体１内に流れる空気の風量を調整するものである。
【０００７】
【特許文献１】
特公平６−５８１８１号公報（第２頁、第１図、第２図）
【０００８】
【発明が解決しようとする課題】
しかしながら、このような換気グリル装置にあっては、シャッタ６，６′を回転支軸５回りに回動させるために可動部材４を上下動可能に設けたり、この可動部材４を上下動させるために調整ネジ３を軸部２に回動可能に設けたり、調整ネジを回動するツマミ１０を軸部２に設けたりしなければならず、さらに、回動部材４にアーム４Ａを設け、このアーム４Ａの先端部にピン９を設けなければならないので、全体の構造が複雑になってしまう問題があった。また、シャッタ６には溝７を設けるとともに断面がコ字状のガイドレール８を設けており、さらに筒体６Ａを設けているので、シャッタ６を射出成形する金型をスライド構造にしなければならず、金型が複雑なものになってしまい、シャッタ（調整板）６は高価なものとなり、この結果、換気グリル装置は高価なものになってしまう等の問題があった。
【０００９】
この発明の目的は、簡単な構造で風量を調整することができ、しかも安価な換気グリル装置を提供することにある。
【００１０】
【課題を解決するための手段】
上記目的を達成するため、請求項１の発明は、前端および後端が開口された筒体と、この筒体内に設けられるとともにこの筒体内を通る空気の風量を調整する風量調整手段とを備えた換気グリル装置であって、
前記風量調整手段は、前記筒体の中央部に設けた軸部と、この軸部に回動可能に設けられ且つ前記前端側から後端に向かって重ねられるとともに前記筒体の風路を遮断するための複数の調整板とを有し、
最前端側に配置された第１調整板を回動させた際、この第１調整板が所定角度回動していく毎に、第１調整板の後ろ側にある調整板が前から順番に第１調整板とともに回動して前記風路を遮断する遮断面積が大きくなり、その第１調整板を逆方向に回動させた際に前記遮断面積が小さくなることを特徴とする。
【００１１】
請求項２の発明は、前記各調整板は係合部と係止部とを有し、調整板の前に配置された前調整板が所定角度回動した際にその調整板の係合部が前調整板の係止部に係合してその前調整板とともに前記調整板が回動し、この調整板が所定角度回動した際にこの調整板の後ろに配置された後調整板の係合部に前記調整板の係止部が係合して後調整板が前記調整板とともに回動していくことを特徴とする。
【００１２】
請求項３の発明は、両端が開口された筒体と、この筒体内に設けられるとともにこの筒体内を通る空気の風量を調整する風量調整手段とを備えた換気グリル装置であって、
前記風量調整手段は、前記筒体の中央部に設けた軸部に放射状に配置された複数の調整板を有し、
前記各調整板は、前記筒部の風路方向と直交する方向と、その風路方向と平行となる方向とに前記筒体に着脱可能に装着できるようになっていることを特徴とする。
【００１３】
請求項４の発明は、前記各調整板は、平板状の板部と、この板部の一端に設けた第１支軸と、その板部の他端に設けた第２支軸とを有し、
各調整板の第１支軸がそれそぞれ着脱可能に係合する複数の第１凹部を前記筒体の周壁に周方向に沿って設け、
各調整板の第２支軸がそれぞれ着脱可能に係合する複数の第２凹部を前記軸部に周方向に沿って設け、
前記風量を調整するために各調整板の板部の向きが変えられるように、第１，第２支軸回りに調整板を所定角度回動させて、第１，第２支軸を第１，第２凹部に係合させた際に、第１，第２支軸のうちいずれか一方を対応する第１凹部または第２凹部に軸回りに対して固定できるようにしたことを特徴とする。
【００１４】
請求項５の発明は、前記調整板の第１支軸と、前記筒体の第１凹部とに角部を設けて第１支軸を軸回りに対して固定することを特徴とする。
【００１５】
請求項６の発明は、両端が開口された筒体と、この筒体内に設けられるとともにこの筒体内を通る空気の風量を調整する風量調整手段とを備えた換気グリル装置であって、
前記風量調整手段は、前記筒体の中央部に設けた軸部に放射状に配置されるとともに放射方向に延びた軸線回りに回動自在の複数の調整板と、各調整板を前記軸線回りに回動させて各調整板の向きを変えて前記風量を調整する回動調整手段とを有することを特徴とする。
【００１６】
請求項７の発明は、前記回動調整手段は、前記各調整板に設けたギアと、前記筒体の軸線回りに回動可能に設けた調整リングと、この調整リングに設けられるとともに前記ギアに噛合するギア部とを備え、調整リングを回動させることによって各調整板を軸線回りに回動させることを特徴とする。
【００１７】
【発明の実施の形態】
以下、この発明に係わる換気グリル装置の実施形態を図面に基づいて説明する。
［第１実施形態］
図１ないし図３に示す換気グリル装置２０は、前端および後端が開口されるとともに風路を形成した樹脂製の筒体２１と、この筒体２１内に設けられた風量調整機構（風量調整手段）３０とを備えている。
［筒体２１］
筒体２１は、前端側（図２において下側）に径の大きい大径筒部２１Ａと、この大径筒部２１Ａの後ろに一体的に形成された径の小さい小径筒部２１Ｂとを有しており、筒体２１内には段差面２１Ｃが形成されている。そして、大径筒部２１Ａの前端には、室内の壁や天井壁等の表側に取り付けるための方形状のフランジ２２が一体形成され、このフランジ２２にはグリル２３が着脱可能に装着されるようになっている。
【００１８】
また、筒体２１内の中央部（中心部）には、小径筒部２１Ｂの内周壁から中心に向けて延びた３つの支持部２５に支持された軸部２６が設けられており、この軸部２６には軸孔２６ａが形成されている。筒体２１は、アタッチメント２４を介して換気装置（図示せず）に接続された図示しないダクトに接続されるようになっている。
【００１９】
アタッチメント２４は、筒体２１に嵌合する筒部２４Ａと、図示しないダクトに接続される筒状の接続部２４Ｂとを有している。換気グリル装置２０の筒体２１は、アタッチメント２４をその接続部２４Ｂの径の異なるアタッチメントに交換することにより、径が異なるダクトに接続することが可能となるので、換気装置のダクトの径に合わせて換気グリル装置２０を製造する必要がなく、このため換気グリル装置２０のコストを抑えることができる。
［風量調整機構３０］
風量調整機構３０は、図４および図５に示すように、筒体２１内に設けた軸部２６と、この軸部２６に回動可能に設けた複数の樹脂製の調整板３１〜３６とを有している。調整板３１〜３６は、この順番に前から後ろへ重ねられており、各調整板３１〜３６は互いに所定角度の範囲で相対的に回動自在となっている。
［調整板３１］
調整板（第１調整板）３１は、図６ないし図８に示すように、中心部に軸孔３１ａを設けた円形部３１Ａと、この円形部３１Ａから互いに反対の径方向へ延びた扇状の板状の調整部３１Ｂ，３１Ｃとを有している。また、円形部３１Ａには、軸孔３１ａの周囲に４つの係止孔３１ｂが形成されている。
【００２０】
調整部３１Ｂの周面３１ｃの両端には径方向へ突出した突出部（係合部）３１ｄと突出部３１ｅが形成され、突出部３１ｅには下方（図８において）に突出した突起部（係止部）３１ｆが形成されている。同様に、調整部３１Ｃの周面３１ｇの両端に突出部（係合部）３１ｈと突出部３１ｉとが形成され、突出部３１ｉには突起部（係止部）３１ｊが形成されている。突出部３１ｄ，３１ｈは軸孔３１ａに対して互いに対称位置に配置され、突起部３１ｆ，３１ｊは軸孔３１ａに対して互いに対称位置に配置されている。
【００２１】
各調整板３２〜３６も調整板３１と同一の大きさで同一形状に構成されているので、その説明は省略する。
【００２２】
各調整板３１〜３６は、図４および図５に示すように重ねられて、回転ツマミ３７の軸３８がその軸孔３１ａ〜３６ａに挿入され、その軸３８の先端部に設けた突起部３８ａ（図８参照）が筒体２１の軸部２６の軸孔２６ａを貫装して、その軸孔２６ａに係止することにより軸部２６に取り付けられている。そして、各調整板３１〜３６は回転ツマミ３７の軸３８回りに回動自在となっている。回転ツマミ３７は、筒体２１の軸部２６の軸孔２６ａに回転可能に取り付けられている。
【００２３】
回転ツマミ３７のツマミ部３７Ｂの後端面には、図８に示すように、４つの突起３７ｔが形成され、これら突起３７ｔが調整板３１の係止孔３１ｂに係合して、回転ツマミ３７の回動とともに調整板３１が回動していくようになっている。
［動  作］
次に、上記のように構成される換気グリル装置２０の動作について説明する。
【００２４】
調整板３１〜３６が図４および図９に示すように重ねられていて筒体２１内の風路が全開している場合、この状態から調整板３１〜３６を回動させて筒体２１風路の開度を調整するには、先ずグリル２３を外す。次に、回転ツマミ３７のツマミ部３７Ｂを時計回り（図４において時計回り、図６および図７において反時計回り）に回していくと、回転ツマミ３７とともに調整板３１が回動していく。この調整板３１が所定角度である例えばα回動すると、図７に示すように、調整板３１の突起部３１ｆ，３１ｊ（図８参照）が調整板３２の突出部３２ｄ，３２ｈに係合する。
【００２５】
さらに、回転ツマミ３７を回して調整板３１を回動していくと、調整板３１とともに調整板３２が回動していく。そして、調整板３２が所定角度α回動すると、すなわち調整板３１が２α回動すると、図１０に示すように、調整板３２の突起部３２ｆ，３２ｊ（図示せず）が調整板３３の突出部３３ｄ，３３ｈ（図示せず）に係合する。
【００２６】
そして、調整板３１および調整板３２の回動とともに調整板３３が回動していく。このように、調整板３１が所定角度α回動する毎に調整板３２〜３６がこの順番で回動されていき、筒体２１内の風路を遮断する面積が大きくなっていく。すなわち、筒体２１内の風路が調整板３１〜３６により閉成されていき、筒体２１に流れる空気の風量が調整される。
【００２７】
調整板３１が約（１８０−α）度だけ回動されると、図１１に示すように筒体２１内の風路が調整板３１〜３６により全閉される。
【００２８】
この状態から、回転ツマミ３７を反時計回り（図４において）に回動していく。そして、調整板３１が上記と逆方向に所定角度α回動すると、調整板３１の突起部３１ｆ，３１ｊ（図８参照）が調整板３２の突出部３２ｅ，３２ｉ（図示せず）に係合し、この後調整板３１とともに調整板３２が逆方向に回動していく。同様にして、調整板３１がさらに上記と逆方向に所定角度α回動する毎に調整板３３〜３６がこの順番で上記と逆方向に回動されていき、筒体２１内の風路を遮断する面積が小さくなっていく。すなわち、筒体２１内の風路が開成されていく。
【００２９】
このように、各調整板３１〜３６を回転ツマミ３７により筒体２１の軸部２６に回転自在に軸支させ、各調整板３１〜３６を回動させることにより風量を調整するようにしたものであるから、その構成は至って簡単なものである。
【００３０】
また、各調整板３１〜３６は、円形部３１Ａ〜３６Ａと、板状の調整部３１Ｂ，３１Ｃ〜３６Ｂ，３６Ｃと、突出部３１ｄ，３１ｈ〜３６ｄ，３６ｈおよび突起部３１ｆ，３１ｊ〜３６ｆ，３６ｊとを設けたものであるから、アンダーカット部がなく、このため、各調整板３１〜３６を射出成形する金型をスライド構造にする必要がなく、調整板３１〜３６は安価なものとなり、換気グリル装置２０は安価なものとなる。さらに、各調整板３１〜３６は同一形状で同一大きさなので、調整板３１〜３６を射出成形する金型は１つでよく、このため、さらに調整板３１〜３６は安価なものとなり、換気グリル装置２０はさらに安価なものとなる。
［第２実施形態］
図１２は、第２実施形態の換気グリル装置５０を示したものである。この換気グリル装置５０は、図１３ないし図１５に示すように、前端および後端が開口されるとともに風路を形成した樹脂製の筒体５１と、この筒体５１内に設けられた風量調整機構（風量調整手段）６０とを備えている。
［筒体５１］
筒体５１は、前端側（図１３〜図１５において左側）に径の大きい大径筒部５１Ａと、この大径筒部５１Ａの後ろに一体的に形成され大径筒部５１Ａの径より小さい中径筒部５１Ｂと、中径筒部５１Ｂの径より小さい小径筒部５１Ｃと、中径筒部５１Ｂと小径筒部５１Ｃとを結ぶラッパ状の風路部５１Ｄとを有しており、筒体５１内であって大径筒部５１Ａと中径筒部５１Ｂとの間に段差面５１Ｅが形成されている。そして、大径筒部５１Ａの前端には、室内の壁や天井壁等の表側に取り付けるための方形状のフランジ５２が一体形成され、このフランジ５２にはグリル５３が着脱可能に装着されるようになっている。
【００３１】
小径筒部５１Ｃは、第１実施形態と同様にアタッチメント２４（図３参照）を介して換気装置（図示せず）に接続された図示しないダクトに接続されるようになっている。
【００３２】
また、筒体５１内である中径筒部５１Ｂ内の中心部には図１６ないし図１８に示すように筒軸５４が配置され、この筒軸５４は風路部５１Ｄの内周壁から中心に向けて延びた３つの支持部５５により支持されている。
【００３３】
筒軸５４の周壁の端面（図１７および図１８において左端面）には所定間隔毎に１２個の凹部（第１凹部）５４ａが形成されている。また、筒体５１の段差面５１Ｅと中径筒部５１Ｂの内周面とで形成される角部には各凹部５４ａに対応して凹部（第２凹部）５１ｆがそれぞれ形成されている。凹部５４ａと凹部５１ｆとを結ぶ直線は筒体５１の径方向となっている。各凹部５１ｆは、図１９に示すように直方体状に形成されていて角部を有している。
［風量調整機構６０］
風量調整機構６０は、図１２ないし図１５に示すように、放射状に配置された複数の樹脂製の調整板６１等から構成されている。各調整板６１は同じ大きさの同一形状に形成されている。
［調整板６１］
各調整板６１は、図２０および図２１に示すように、ほぼ扇形状をした平板状の板部６２と、この板部６２の一端に設けた軸部（第１支軸）６３と、板部６２の後端（周端）に設けた軸部（第２支軸）６４とを有している。軸部６４は、角部を有する４つの直方体の軸片６４Ａ〜６４Ｄから構成され、これら軸片６４Ａ〜６４Ｄによって十字形に形成されている。
【００３４】
各軸片６４Ａ〜６４Ｄは、同一大きさの同一形状に形成されており、筒体５１の凹部５１ｆとほぼ同一の大きさに設定され、その凹部５１ｆに着脱可能に嵌入するようになっている。また、軸部６３は筒軸５４の凹部５４ａに着脱可能に係合するようになっている。
［動  作］
次に、上記のように構成される換気グリル装置５０の動作について説明する。
【００３５】
換気グリル装置５０を全開する場合は、図２２に示すように、各調整板６１の軸部６４の軸片６４Ｃを筒体５１の凹部５１ｆに嵌入させ、各調整板６１の軸部６３を筒軸５４の凹部５４ａに係合させる。このようにして、各調整板６１を筒体５１に装着すれば、図１３および図１５に示すように、調整板６１の板部６２の面６２ａが筒体５１の風路方向と平行になるので全開状態となる。
【００３６】
換気グリル装置５０を全開する場合には、先ず、各調整板６１を筒体５１から外して、図２３に示すように、各調整板６１の軸部６４の軸片６４Ｂを筒体５１の凹部５１ｆに嵌入させ、各調整板６１の軸部６３を筒軸５４の凹部５４ａに係合させる。このようにして、各調整板６１を筒体５１に装着すれば、図１２および図１４に示すように、調整板６１の板部６２の面６２ａが筒体５１の風路方向と直交するので全閉状態となる。換言すれば、調整板６１の板部６２の面６２ａが筒体５１の風路を遮断するので全閉となる。
【００３７】
このように、調整板６１の軸部６４の軸片６４Ｂ（６４Ｄ）や軸片６４Ｃ（６４Ａ）を筒体５１の凹部５１ｆに嵌入することで、筒体５１の風路方向に対する調整板６１の板部６２の面６２ａの向きを９０度変えることができる。
【００３８】
また、筒体５１を流れる風量を調整するには、調整板６１の板部６２の面６２ａが筒体５１の風路方向と平行となる調整板６１の枚数、すなわち、筒体５１の風路を遮断する調整板６１の数を増減することにより行う。なお、調整板６１の向きを変える場合、筒体５１のフランジ５２に取り付けられているグリル５３を取り外して行う。
【００３９】
ところで、軸片６４Ｃは直方体で角部を有し、筒体５１の凹部５１ｆも角部を有しているので、調整板６１は凹部５４ａ，５１ｆ内で軸部６３，６４回りに回転してしまことが防止されるので、風圧によって向きが変わってしまうことがない。
【００４０】
各調整板６１は、平板状の板部６２に軸部６３，６４を設けたものであるから、アンダーカット部がなく、このため、各調整板６１を射出成形する金型をスライド構造にする必要がなく、調整板６１は安価なものとなり、換気グリル装置５０は安価なものとなる。さらに、各調整板６１は同一形状で同一大きさなので、調整板６１を射出成形する金型は１つでよく、このため、さらに調整板６１は安価なものとなり、換気グリル装置５０はさらに安価なものとなる。
【００４１】
また、各調整板６１を軸回りに回動させる回動構造を設けていないので、換気グリル装置５０の構造は至って簡単である。
【００４２】
この第２実施形態では、調整板６１の軸部６４に角部を設け、筒体５１の凹部５１ｆに角部を設けて調整板６１の回転の防止を図っているが、調整板６１の軸部６３に角部を設け、筒軸５４の凹部５４ａに角部を設けて調整板６１の回転の防止を図ってもよく、その軸部６３，６４の両方に角部を設け、両方の凹部５４ａ，５１ｆに角部を設けて回転の防止を図ってもよい。
［他の例］
図２４ないし図２６は他の例の調整板７１を示したものである。調整板７１は、平板状の板部７２と、この板部７２の一端に設けた軸部７３と、板部７２の他端に設けた軸部７４と、この軸部７４に設けた係止部７５とを有している。係止部７５は、６つのＶ字状の突起７５Ａ〜７５Ｆを有し、各突起７５Ａ〜７５Ｆは６０度毎に等間隔に軸部７４の周方向に沿って設けられている。
【００４３】
他方、筒体５１には、凹部５１ｆの替わりにＶ字状の凹部５１ｇ（図２７参照）を設けておく。そして、図２７に示すように、調整板７１の係止部７５の突起７５Ｄを筒体５１の凹部５１ｇに係合させれば、調整板７１の板部７２が段差面５１Ｅに対して垂直、すなわち筒体５１の風路方向と平行となり、換気グリル装置５０を全開にすることができる。なお、調整板７１の軸部７３は筒軸５４の凹部５４ａに係合させる。
【００４４】
また、図２８および図２９に示すように、調整板７１の係止部７５の突起７５Ｃ，７５Ｅを筒体５１の凹部５１ｇに係合させれば、調整板７１の板部７２の向きを調整することができるので、筒体５１を流れる風量を調整することができる。
［第３実施形態］
図３０ないし図３２は、第３実施形態の換気グリル装置８０を示したものである。この換気グリル装置８０は、前端および後端が開口されるとともに風路を形成した樹脂製の筒体８１と、この筒体８１内に設けられた風量調整機構（風量調整手段）１００とを備えている。
［筒体８１］
筒体８１は、図３３ないし図３５に示すように、前端側（図３４および図３５において左側）にいくにしたがって径が大きくなるラッパ状のラッパ部８２と、このラッパ部８２の後部に一体形成された筒状の大径筒部８３と、この大径筒部８３の後部に一体形成されるとともにこの大径筒部８３の径より小さい径の小径筒部８４とを有している。小径筒部８４は、第１実施形態と同様にアタッチメント２４（図３参照）を介して換気装置（図示せず）に接続された図示しないダクトに接続されるようになっている。
【００４５】
ラッパ部８２の前端には室内の壁や天井壁等の表側に取り付けるための方形状のフランジ８６が一体形成され、このフランジ８６には図示しないグリルが着脱可能に装着されるようになっている。また、ラッパ部８２内の中心部には小径の軸部８７と、この軸部８７に一体形成されるとともにこの軸部８７より径の大きい大径の軸部８８とが配置され、さらに大径筒部８３内の中心部には筒状の筒軸８９が配置されている。この筒軸８９は大径筒部８３および小径筒部８４の内周壁から中心に向かって延びた支持アーム９０により支持され、軸８８は筒軸８９の内周壁から中心に向かって延びた支持アーム９１により支持されている。
【００４６】
筒軸８９の周壁の端部（図３２および図３３において上面側）には所定間隔毎に１０個の貫通孔８９ａが形成されている。また、ラッパ部８２の内周壁の後部には、筒軸８９の貫通孔８９ａから径方向に延びた位置に凹部８２ａがそれぞれ形成されている。
［風量調整機構１００］
風量調整機構１００は、図３１および図３２に示すように複数の調整板１０１と、調整リング１１０等とから構成されている。
［調整板１０１］
各調整板１０１は、図３６ないし図３８に示すように、ほぼ扇形状をした平板状の板部１０２と、この板部１０２の一端に設けた軸部１０３と、板部１０２の他端（周端）に設けたギア１０４と、ギア１０４の中心部に設けた軸部１０５とを有している。そして、調整板１０１の軸部１０３は図３１に示すように筒体８１の筒軸８９の貫通孔８９ａに回動自在に挿入され、調整板１０１の軸部１０５は筒体８１のラッパ部８２の凹部８２ａに回動自在に係合されている。各調整板１０１は同じ大きさの同一形状に形成されている。
【００４７】
そして、各調整板１０１は、筒体８１のラッパ部８２と筒軸８９との間に径方向に沿って放射状に配置されているとともに、径方向の軸線回りである軸部１０３，１０５回りに回動可能に筒体８１のラッパ部８２および筒軸８９に取り付けられている。
［調整リング１１０］
調整リング１１０は、図３９ないし図４１に示すように、リング１１１と、このリング１１１の中心部に設けられた円形の軸受部１１２とを有し、軸受部１１２はリング１１１の内周面から中心に向かって延びた支持部１１３により支持されている。リング１１１の下面１１１ａ（図４０において）には、図４１に示すようにリング１１１に沿ってリング状のギア部１１５が形成されている。
【００４８】
また、軸受部１１２には、貫通孔１１４が形成され、貫通孔１１４は下側（図４０において）に大径の孔部１１４Ａと上側に小径の孔部１１４Ｂとを有している。この貫通孔１１４の孔部１１４Ａには、図３１に示すように、筒体８１の軸部８８が回動自在に嵌入され、貫通孔１１４の孔部１１４Ｂには筒体８１の軸部８７が回動自在に嵌入されている。そして、調整リング１１０は、筒体８１の軸部８７，８８回りに回動可能となっているとともに、調整リング１１０のギア部１１５が各調整板１０１のギア１０４に噛合しており、調整リング１１０の回動によって各調整板１０１が軸部１０３，１０５回りに回動するようになっている。
【００４９】
そして、各調整板１０１に設けたギア１０４と、調整リング１１０とで各調整板１０１を軸部８７，８８回りに回動させる回動調整機構（回動調整手段）が構成されている。
［動  作］
次に、上記のように構成される換気グリル装置８０の動作について説明する。
【００５０】
各調整板１０１の向き、すなわち調整板１０１の板部１０２の向きが図３０および図３１に示すように筒体８１の風路方向と平行になっていて全開しているものとする。この状態から筒体８０の風路の開度を調整するには、先ず筒体８１のフランジ８６に取り付けられている図示しないグリルを外す。
【００５１】
次に、調整リング１１０を筒体８１の軸部８７，８８回りに回動させていく。この調整リング１１０のギア部１１５に調整板１０１のギア１０４が噛合していることにより、調整リング１１０の回動とともに各調整板１０１はその軸部１０３，１０５回りに回動していき、各調整板１０１は筒体８１の風路方向に対して傾斜していく。すなわち、各調整板１０１の板部１０２は、筒体８１の風路方向に対向する方向に向いていき、筒体８１の風路は閉成されていく。
【００５２】
さらに、調整リング１１０を回動していくと、図４２および図４３に示すように、各調整板１０１は筒体８１の風路方向に対して直交する向きとなる。すなわち、各調整板１０１の板部１０２が筒体８１の風路方向に対して直交する向きとなり、筒体８１の風路は全閉される。
【００５３】
このように、調整リング１１０の回動により各調整板１０１の向き、すなわち各調整板１０１の板部１０２の向きが変わるので、筒体８１の風路に流れる空気の風量を調整することができる。
【００５４】
各調整板１０１は、平板状の板部１０２に軸部１０３とギア１０４とを設け、このギア１０４に軸部１０５を設けたものであるから、アンダーカット部がなく、このため、各調整板１０１を射出成形する金型をスライド構造にする必要がなく、調整板１０１は安価なものとなり、換気グリル装置８０は安価なものとなる。さらに、各調整板１０１は同一形状で同一大きさなので、調整板１０１を射出成形する金型は１つでよく、このため、さらに調整板１０１は安価なものとなり、換気グリル装置８０はさらに安価なものとなる。
【００５５】
また、各調整板１０１にギア１０４を設け、このギア１０４に調整リング１１０のギア部１１５を噛合させるとともに、調整リング１１０を筒体８１の軸部８７，８８に回動可能に装着したものであるから、その構造は簡単なものである。
【００５６】
【発明の効果】
以上説明したように、この発明によれば、簡単な構造で風量を調整することができ、換気グリル装置を安価にすることができる。
【図面の簡単な説明】
【図１】この発明に係る換気グリル装置を示した斜視図である。
【図２】図１の換気グリル装置の平面図である。
【図３】図１の換気グリル装置の構成を示した分解斜視図である。
【図４】グリルを取り外した換気グリル装置を示した斜視図である。
【図５】図４に示す換気グリル装置の断面図である。
【図６】（Ａ）２枚重ねられた調整板を示した平面図である。
（Ｂ）図１６（Ａ）の右側面図である。
【図７】（Ａ）２枚重ねられた調整板を広げた状態を示した平面図である。
（Ｂ）図７（Ａ）の右側面図である。
【図８】調整板と回転ツマミを示した斜視図である。
【図９】各調整板を重ねた状態を示した側面図である。
【図１０】重ねられた調整板の一部を広げた状態を示した側面図である。
【図１１】グリルを取り外して調整板を全閉した状態を示したグリル装置の正面図である。
【図１２】第２実施形態の換気グリル装置を示した正面図である。
【図１３】図１２の換気グリル装置のグリルを取り外した斜視図である。
【図１４】図１３の換気グリル装置の調整板を全閉にした状態を示した斜視図である。
【図１５】図１４に示す換気グリル装置の断面図である。
【図１６】図１４の換気グリル装置の筒体を示した正面図である。
【図１７】図１６に示す筒体の構成を示した断面図である。
【図１８】図１６に示す筒体の斜視図である。
【図１９】筒体の一部を拡大した部分拡大図である。
【図２０】第２実施形態の調整板を示した斜視図である。
【図２１】図２０の調整板を違う角度から見た斜視図である。
【図２２】筒体の風路を全開にする調整板の取り付け方を示した説明図である。
【図２３】筒体の風路を全閉にする調整板の取り付け方を示した説明図である。
【図２４】他の例の調整板を示した平面図である。
【図２５】図２４の調整板の左側面図である。
【図２６】図２４の調整板の正面図である。
【図２７】筒体の風路を全開にする調整板の取り付け方を示した説明図である。
【図２８】調整板を左側に傾けた状態を示した説明図である。
【図２９】調整板を右側に傾けた状態を示した説明図である。
【図３０】第３実施形態の換気グリル装置を示した正面図である。
【図３１】グリルを取り外した換気グリル装置の構成を示した断面図である。
【図３２】図３１に示す換気グリル装置を分解した斜視図である。
【図３３】図３２の換気グリル装置の筒体を示した正面図である。
【図３４】図３３に示す筒体のＡ−Ａ線に沿う断面図である。
【図３５】図３３に示す筒体のＢ−Ｂ線に沿う断面図である。
【図３６】第３実施形態の調整板を示した平面図である。
【図３７】図３６に示す調整板の左側面図である。
【図３８】図３６に示す調整板の正面図である。
【図３９】調整リングを示した平面図である。
【図４０】図３９に示す調整リングの断面図である。
【図４１】図３９に示す調整リングの底面図である。
【図４２】グリルを取り外して調整板を全閉した状態を示したグリル装置の正面図である。
【図４３】図４２に示すグリル装置の断面図である。
【図４４】従来の換気グリル装置の一部を示した斜視図である。
【図４５】従来の換気グリル装置の構成を示した断面図である。
【符号の説明】
２０                    換気グリル装置
２１                    筒体
２６                    軸部
３０                    風量調整機構（風量調整手段）
３１                    調整板（第１調整板）
３２〜３５        調整板
【図１】
2004309037.tif 000003
【図２】
2004309037.tif 000004
【図３】
2004309037.tif 000005
【図４】
2004309037.tif 000006
【図５】
2004309037.tif 000007
【図６】
2004309037.tif 000008
【図７】
2004309037.tif 000009
【図８】
2004309037.tif 000010
【図９】
2004309037.tif 000011
【図１０】
2004309037.tif 000012
【図１１】
2004309037.tif 000013
【図１２】
2004309037.tif 000014
【図１３】
2004309037.tif 000015
【図１４】
2004309037.tif 000016
【図１５】
2004309037.tif 000017
【図１６】
2004309037.tif 000018
【図１７】
2004309037.tif 000019
【図１８】
2004309037.tif 000020
【図１９】
2004309037.tif 000021
【図２０】
2004309037.tif 000022
【図２１】
2004309037.tif 000023
【図２２】
2004309037.tif 000024
【図２３】
2004309037.tif 000025
【図２４】
2004309037.tif 000026
【図２５】
2004309037.tif 000027
【図２６】
2004309037.tif 000028
【図２７】
2004309037.tif 000029
【図２８】
2004309037.tif 000030
【図２９】
2004309037.tif 000031
【図３０】
2004309037.tif 000032
【図３１】
2004309037.tif 000033
【図３２】
2004309037.tif 000034
【図３３】
2004309037.tif 000035
【図３４】
2004309037.tif 000036
【図３５】
2004309037.tif 000037
【図３６】
2004309037.tif 000038
【図３７】
2004309037.tif 000039
【図３８】
2004309037.tif 000040
【図３９】
2004309037.tif 000041
【図４０】
2004309037.tif 000042
【図４１】
2004309037.tif 000043
【図４２】
2004309037.tif 000044
【図４３】
2004309037.tif 000045
【図４４】
2004309037.tif 000046
【図４５】
2004309037.tif 000047